(57)【要約】【課題】  有効成分を破壊することなく木材から樹液を採取する。【解決手段】多数の細孔を有する通気性容器１４にチップ化した木材を収容して、内部の気圧を０．７気圧以下に保った採取釜１内に置き、採取釜内の温度を摂氏１５０度以下に保って木材を加熱することにより木材から樹液を蒸発させた後、加熱を停止することにより蒸発して採取釜内に滞留している樹液を液化して採取する。【選択図】      図１
2005145830.tif 000002
【特許請求の範囲】
【請求項１】
多数の細孔を有する通気性容器にチップ化した木材を収容して、内部の気圧を０．７気圧以下に保った採取釜内に置き、採取釜内の温度を摂氏１５０度以下に保って木材を加熱することにより木材から樹液を蒸発させた後、加熱を停止することにより蒸発して採取釜内に滞留している樹液を液化して採取することを特徴とする樹液の採取方法。
【請求項２】
通気性容器は金属製の網又はパンチングメタルにより作られる請求項１記載の樹液の採取方法。
【請求項３】
加熱媒体を循環させる加熱パイプを採取釜の内壁に沿って巡らせることにより、採取釜内の加熱手段とした請求項１又は２記載の樹液の採取方法。
【請求項４】
加熱媒体は湯水又は蒸気である請求項３記載の樹液の採取方法。
【請求項５】
通気性容器の上方に開閉自在の蓋体を位置させ、樹液の蒸発過程においては上記蓋体を解放し、液化過程においては閉止することにより液化した樹液が木材に落下することを防止する請求項１から４の何れかに記載の樹液の採取方法。
【請求項６】
採取釜の上方を開口部として、通気性容器を上方から吊り下げて出し入れする請求項１から５の何れかに記載の樹液の採取方法。
【請求項７】
採取釜の側方を開口部として、通気性容器を採取釜に敷設したレール上を走行させることにより出し入れする請求項１から５の何れかに記載の樹液の採取方法。
【請求項８】
樹皮を剥ぎ取った丸太をチップ化し、採取釜内の温度を最低摂氏２０度、最高摂氏１００度の範囲内で調整しながら木材から樹液を蒸発させる請求項１から７の何れかに記載の樹液の採取方法。
【請求項９】
間伐又は枝打ちされた木材を葉が付いた状態のままチップ化し、採取釜内の温度を最低摂氏２０度、最高摂氏１５０度の範囲内で調整しながら木材から樹液を蒸発させる請求項１から７の何れかに記載の樹液の採取方法。
【発明の詳細な説明】
【技術分野】
【０００１】
この発明は廃棄木材の有効活用を図る方法に関し、より詳細には木材から薬効のある樹液を採取する方法に関する。
【背景技術】
【０００２】
杉や桧の育成には間伐が必要不可欠であるが、間伐材は利用価値が低く、そのまま廃棄されていた。建築用の足場丸太に使用されていた時期もあったが、現在はその需要も途絶えている。又、枝打ちにより得られた枝も利用価値が低く、そのまま廃棄されていた。枝打ちとは、樹木の最上部の枝だけを残して枝を切り落とす杉や桧の用材の育成法であり、以前は切り落とした枝はストーブ等の燃料として使用されていたが、今はその需要は殆ど無い。
【０００３】
一方、下記の特許文献１に示すように、木材を乾留する際に得られる液体成分を分溜して害虫忌避剤や土壌活性化剤等の用途に使用することが公知である。
【特許文献１】特開２００３−１７１２１７号公報
【発明の開示】
【発明が解決しようとする課題】
【０００４】
前記したように、従来は樹皮や間伐材はそのまま廃棄されていたので資源の無駄を生じた。又、枝打ちに関しては切り落とした枝の使い道が無いことからそれを行うことを嫌う山林家が多く、そのため枝打ちがなされないまま枝が発達して多くの花を付け、多くの人を苦しめている花粉症の元凶となっていた。
【０００５】
一方、木材を乾留する際に得られる液体成分は分溜することにより害虫忌避剤や土壌活性化剤等の用途に使用できるので、その限りにおいては資源を活用しているといえる。しかしながら、乾留は基本的には木材を炭化する際に発生する燻煙を冷却して得る方法なので、その前提として木炭の製造が存し、液体成分はその副次品に過ぎないので、最終製品である木炭の商品性を考慮した場合、使用できる木材は外形や寸法等が限定され、必ずしも廃棄木材全ての有効活用が図られているとは言い難かった。
【０００６】
更に、乾留は高温で実行されるので、樹液などに有効成分があっても破壊されている可能性があり、又、得られる液体成分には発癌の可能性がある木材タールが含まれるので、これを人体に使用することには問題があった。
【課題を解決するための手段】
【０００７】
この発明は以上の従来技術の問題点を解消するために創作されたものであり、多数の細孔を有する通気性容器にチップ化した木材を収容して、内部の気圧を０．７気圧以下に保った採取釜内に置き、採取釜内の温度を摂氏１５０度以下に保って木材を加熱することにより木材から樹液を蒸発させた後、加熱を停止することにより蒸発して採取釜内に滞留している樹液を液化して採取することを特徴とする。
【発明の効果】
【０００８】
この発明によれば、第１に木材をチップ化することにより単位重量当たりの露出表面積を増大させて木材内部への熱の浸透を促進すると共に大きな蒸発面積を確保し、第２に０．７気圧以下という半真空から真空状態で加熱して樹液の蒸発の前提となる木材表面への浸出を容易にすることにより、低温にもかかわらず大量の樹液の蒸発・採取に成功した。又、木材を収容する容器として、棚ではなく多数の細孔を有する通気性容器を採用することによりチップ化した木材の採取釜内への出し入れを可能とした。その結果、樹液が本来含んでいる有効成分を高熱により破壊することなく、１００％純粋な樹液の採取が可能となった。
【０００９】
以上のようにこの発明によれば、有効な成分を破壊せずに樹液を木材から採取でき、しかも木材は最終的にチップ化するので、木炭の製造のように使用できる木材の外形、大きさに制限が無く、廃棄木材の有効な活用が実現される。その結果、杉や桧を枝打ちした場合に得られる枝の経済価値の高まりによる枝打ちの普及が期待でき、枝打ちが農山村の産業支援の一助となると共に、花粉症の元凶である花粉の発生の防止が図られるという一挙両得の効果を奏することとなる。
【発明を実施するための最良の形態】
【００１０】
以下、この発明の実施例を添付図面に基づいて説明する。図１乃至図３はこの発明の樹液の採取方法に使用する採取装置の第１実施例を示す図である。この採取装置は木材を０．７気圧以下の半真空から真空状態で加熱するための採取釜１と、上記採取釜に木材を出し入れするための通気性容器１４から構成される。採取釜１はこの実施例では円筒状のものを縦置きし、上方を開口部として、通気性容器を上方から吊り下げて出し入れする形式のものを例示しており、開口は適宜開閉機構（図示せず）及び封止機構（図示せず）を有する蓋体８により開閉自在に密閉される。採取釜１は図２に示すように金属製の外壁２とゴム製の内壁４の間に断熱材３を充填した断熱構造を採用しており、前記の蓋体８もこれに準じた構造となっている。又、採取釜１の底部は採取した樹液を貯留・排出する液溜部５として機能するように漏斗状に形成され、漏斗の先端は採取釜下方に垂設される樹液取り出し口６に連通している。尚、図中符号７は上記樹液取り出し口６の開閉バルブである。
【００１１】
前記の採取釜１の内壁には金属製の加熱パイプ９が螺旋状に巡らされ、この加熱パイプ内に接続パイプ１０、１０を介してボイラー等の加熱源１１から加熱媒体を循環させることにより、採取釜１内に所望の熱雰囲気を形成する。加熱媒体としては湯水等のような液体や、蒸気等が想定できるが、これらに限定されないことは勿論である。尚、図示しないが採取釜１内の温度及び加熱媒体自体の温度を検出する温度計及び加熱媒体の温度制御手段が別途用意されることは勿論である。
【００１２】
図中符号１３は接続パイプ１２を介して採取釜１内に接続される真空ポンプ等の脱気装置であり、脱気により釜の内圧を所定値まで下降させる。尚、図示しないが採取釜１の内圧を検出する圧力計及び気圧制御手段が別途用意されることは勿論である。
【００１３】
図中符号１４は木材（図示せず）を採取釜内への出し入れするための通気性容器であり、この容器を採用することにより木材をチップ化して加熱することが可能となる。上記通気性容器１４は多数の細孔を有することが要件となるが、後記するようにこの発明ではチップとして幅及び長さが５０ｍｍ×１５０ｍｍ以下のものを想定しているので、細孔は上記チップが脱落せず、且つ、通気性を可及的に確保可能な大きさ及び配置であればよい。ここでは、そのような通気性容器１４として、太さ１ｍｍ〜３ｍｍ程度の金属線により、１０ｍｍ程度の網目を構成した金網製のものや、３ｍｍ〜１５ｍｍ程度の細孔を全面に穿設したパンチングメタル製のものを例示するが、これらに限定されないことは勿論である。
【００１４】
以上の構成からなる採取装置を使用したこの発明の樹液の採取方法の工程の一例を下記する。
(1) 木材をチップ化する。
【００１５】
（樹種及び状態）
木材の樹種は採取される樹液に有用な成分が含まれるかにより決定され、ここではそのようなものの代表的なものとして桧及び杉を、その他のものとして欅、ぶな、楓、栗、楢等を例示するが、樹種はこれらに限定されないことは勿論である。又、木材は葉の付いたままの状態のものであってもよい。これは間伐又は枝打ちされた木材の場合に有効である。
【００１６】
（チップ）
この発明において、加熱の前提として木材をチップ化するのは、木材の単位重量当たりの露出表面積を増大させて木材内部への熱の浸透を促進すると共に大きな蒸発面積を確保する点にある。よって、木材から得るチップの寸法は上記観点により決定されることとなる。この実施例では、チップとして厚さ１〜２ｍｍ、幅１０〜５０ｍｍ、長さ３０〜１５０ｍｍ程度のものを例示するが、寸法はこれらに限られないことは勿論である。尚、桧や杉の葉の場合は長さ方向に切断しただけのものを使用する。
(2) チップ化した木材を通気性容器に収容し、これを採取釜内に置く。
(3) 脱気により採取釜の内圧を０．７気圧以下に下げる。尚、採取釜内は上記半真空状態の他、完全に真空状態としてもよい。
(4) 加熱パイプ内に加熱した加熱媒体を循環させることにより、採取釜内に摂氏１５０度以下の熱雰囲気を形成する。その結果、チップ表面に樹液が浸出し、更に蒸発して採取釜内に滞留する。尚、この発明においては採取釜内を半真空から真空状態とするので、１００度以下の低温状態でも樹液は蒸発する。
【００１７】
（加熱条件）
加熱温度はチップの樹種や状態により異なり、ここでは次の２種を例示するが、温度条件はこれらに限定されないことは勿論である。
(A) 樹皮を剥ぎ取った丸太をチップ化した場合／最低摂氏２０度、最高摂氏１００度の範囲内(B) 桧や杉などを間伐又は枝打ちして葉が付いた状態のままチップ化した場合／最低摂氏２０度、最高摂氏１５０度の範囲内
（加熱時間）
加熱時間はチップの樹種や状態により異なり、ここでは１昼夜程度を例示するが、これに限定されないことは勿論である。
(5) 所定時間経過後に加熱を停止することにより、気体となって採取釜内に滞留していた樹液を液化して液溜部に落下貯留して、樹液取り出し口から取り出す。この場合、チップを収容した通気性容器１４上方に滞留していた樹液がそのままチップ上に落下して吸収されてしまうおそれがある。そこで、この実施例においては通気性容器１４の上方に開閉自在の蓋体２０を位置させ、樹液の蒸発過程においては上記蓋体を解放し、液化過程においては閉止することにより、樹液の蒸発による蒸発を妨げずに、液化した樹液が木材に落下することを防止している。ここでは、図３に示すように、蓋体２０の外周フレーム２１内に複数の蓋片２３を軸２２により水平から垂直近くまでフラップ状に揺動自在に軸支し、図示しない適宜機構により起伏させることにより蓋体の開閉手段としている。
【００１８】
図４はこの発明の樹液の採取方法に使用する採取装置の第２実施例を示す図である。図中符号３０は採取釜であり、この実施例では円筒状のものを横置きして側方を開口部とし、通気性容器を側方から出し入れする形式のものを例示している。この形式のものは、特に大量のチップを扱う場合に有用である。図中符号３７は通気性容器であり、台車３９により採取釜３０まで搬送された後、採取釜内に敷設されたレール３２上を車輪３８により走行することにより採取釜内に出入りする。尚、図中符号３１は樹液取り出し口、３３は蓋体、３４は加熱パイプ、３５は加熱源、３６は脱気装置であり、これらの基本構成は前記第１実施例の採取装置と同様なので詳細な説明は省略する。
【産業上の利用可能性】
【００１９】
本願発明者はこの発明の方法により摂氏６０度戦後の温度で桧から採取した樹液を、噴霧器で喉に直接吹きかけることにより、喘息による痰及び咳の緩和に著しい効果があることを臨床試験により確認している。
【図面の簡単な説明】
【００２０】
【図１】この発明の樹液の採取方法に使用する採取装置の第１実施例の分解斜視図。
【図２】同上、断面図
【図３】同上、蓋体の側面図。
【図４】この発明の樹液の採取方法に使用する採取装置の第２実施例の一部切り欠き側面図。
【符号の説明】
【００２１】
１        採取釜
９        加熱パイプ
１４      通気性容器
【図１】
2005145830.tif 000003
【図２】
2005145830.tif 000004
【図３】
2005145830.tif 000005
【図４】
2005145830.tif 000006
【手続補正書】
【提出日】平成16年2月27日(2004.2.27)
【手続補正１】
【補正対象書類名】特許請求の範囲
【補正対象項目名】全文
【補正方法】変更
【補正の内容】
【特許請求の範囲】
【請求項１】
多数の細孔を有する通気性容器にチップ化した木材を収容して、内部の気圧を０．７気圧以下に保った採取釜内に置き、採取釜内の温度を摂氏１５０度以下に保って木材を加熱することにより木材から樹液を蒸発させた後、加熱を停止することにより蒸発して採取釜内に滞留している樹液を液化して採取することを特徴とする樹液の採取方法。
【請求項２】
通気性容器は金属製の網又はパンチングメタルにより作られる請求項１記載の樹液の採取方法。
【請求項３】
加熱媒体を循環させる加熱パイプを採取釜の内壁に沿って巡らせることにより、採取釜内の加熱手段とした請求項１又は２記載の樹液の採取方法。
【請求項４】
加熱媒体は湯水又は蒸気である請求項３記載の樹液の採取方法。
【請求項５】
通気性容器の上方に開閉自在の蓋体を位置させ、樹液の蒸発過程においては上記蓋体を解放し、液化過程においては閉止することにより液化した樹液が木材に落下することを防止する請求項１から４の何れかに記載の樹液の採取方法。
【請求項６】
採取釜の上方を開口部として、通気性容器を上方から吊り下げて出し入れする請求項１から５の何れかに記載の樹液の採取方法。
【請求項７】
採取釜の側方を開口部として、通気性容器を採取釜に敷設したレール上を走行させることにより出し入れする請求項１から５の何れかに記載の樹液の採取方法。
【請求項８】
間伐又は枝打ちされた木材を葉が付いた状態のままチップ化し、採取釜内の温度を最低摂氏２０度、最高摂氏１５０度の範囲内で調整しながら木材から樹液を蒸発させる請求項１から７の何れかに記載の樹液の採取方法。